(57)【特許請求の範囲】
【請求項１】
絶縁ケース体と、
該絶縁ケース体に配置された、接地コードを有する電源プラグの電圧側極刃を受ける電圧側極刃受けばねを有する複数のコンセント部と、
各コンセント部に隣接して個別に設けられた接地コードを有する前記電源プラグの接地コードを挿入保持する接地用挿入部とを備え、
前記コンセント部は、前記電源プラグの電圧側極刃の挿入及び引き抜きを許容するロック解除位置及び前記電源プラグの電圧側極刃の引き抜きを抑制するロック位置を有する挿入孔を備えるとともに、前記電源プラグの電圧側極刃は、各コンセント部の前記挿入孔のロック解除位置に挿入されてからロック位置まで回動されると、前記電圧側極刃受けばねに挟持されるとともに、前記ロック位置から前記ロック解除位置まで回動されると、前記電圧側極刃受けばねによる挟持状態が解除されて各コンセント部から引き抜き可能となり、
前記接地用挿入部は、前記接地コードの挿入を許容するとともに前記接地コードの先端を保持する上端が開口となるように対向配置された一対の板部と、前記電源プラグの電圧側極刃が前記ロック解除位置から前記ロック位置に回動するときに前記電圧側極刃の回動に連動して前記一対の板部による接地コードの保持を達成させる保持機構とを備え、
前記保持機構は、前記絶縁ケース体に回動可能に支持され、前記電源プラグの電圧側極刃が前記ロック解除位置から前記ロック位置に回動するときに、前記電源プラグの電圧側極刃に係合して前記電圧側極刃の回動に伴って回動する回動アームと、該回動アームに形成され、前記一対の板部のうちの一方を内側に可動させて前記一対の板部間に挿入されている前記接地コードの先端を挟持する押圧係合部とを備えていることを特徴とする接地付電源プラグ受け装置。
【請求項２】
前記押圧係合部は、前記回動アームの先端に設けられたことを特徴とする請求項１に記載の接地付電源プラグ受け装置。
【請求項３】
前記一対の板部は、１枚の板状部材を折り曲げて一体に形成されたＵ字状の板ばね部材であることを特徴とする請求項１又は２に記載の接地付電源プラグ受け装置。
【請求項４】
前記接地コードは、その先端に装着された端子部が前記一対の板部によって保持されることを特徴とする請求項１に記載の接地付電源プラグ受け装置。
【請求項５】
前記接地コードは、その先端の絶縁被覆が除去されて内部導体を露出させた端子部が前記一対の板部によって保持されることを特徴とする請求項１に記載の接地付電源プラグ受け装置。
【請求項６】
前記絶縁ケース体に、前記コンセント部と対応する前記接地用挿入部とを囲む識別表示部が形成されていることを特徴とする請求項１から５の何れか１項に記載の接地付電源プラグ受け装置。
【請求項７】
絶縁ケース体が、テーブルタップ形状及びコンセント形状の何れか一方の形状に構成されていることを特徴とする請求項１から６の何れか１項に記載の接地付電源プラグ受け装置。
【発明の詳細な説明】
【技術分野】
【０００１】
本発明は、接地用コードを有する電源プラグを嵌合させるテーブルタップ、コンセント等の接地付電源プラグ受け装置に関する。
【背景技術】
【０００２】
この種の接地付電源プラグ受け装置として、例えば特許文献１に記載された接地テーブルタップが知られている。
この接地テーブルタップは、２つの電圧側極刃受けばねブロックと１つの接地側極刃受けばねブロックとで構成されるコンセントを外殻に複数例えば４組直列に配置し、外殻の一方の端部にアースターミナルが形成されている。
【先行技術文献】
【特許文献】
【０００３】
【特許文献１】特開平５−２０５８２０
【発明の概要】
【発明が解決しようとする課題】
【０００４】
上記特許文献１に記載された接地テーブルタップでは、電圧側極刃及び接地側極刃を端面に有する電源プラグを装着する場合には、電源プラグの電圧側極刃及び接地側極刃を所望のコンセントの電圧側極刃受けばねブロック及び接地側極刃受けばねブロックに嵌合することにより、電気的に接続することができる。
しかしながら、端面に電圧側極刃のみを有し、接地側極刃に代えて接地コードを有する電源プラグを接地テーブルタップに装着する場合には、電圧側極刃については電圧側極刃受けばねブロックに装着し、接地コード先端の接続部については接地テーブルタップの端面に形成されたアースターミナルに接続することになる。このとき、接地コードが長ければ良いが、通常１０ｃｍ程度であるため接地コードを有する電源プラグを複数テーブルタップに装着する場合には接地コードの先端がアースターミナルに届かず、アースターミナルに全ての接地コードを接続することができない場合が生じるという課題がある。
【０００５】
そこで、本発明は、上記従来例の課題に着目してなされたものであり、接地コードを有する電源プラグの接地を容易且つ確実に行うことができる接地付電源プラグ受け装置を提供することを目的としている。
【課題を解決するための手段】
【０００６】
上記目的を達成するために、本発明の一態様に係る接地付電源プラグ受け装置は、絶縁ケース体と、この絶縁ケース体に配置された、接地コードを有する電源プラグの電圧側極刃を受ける電圧側極刃受けばねを有する複数のコンセント部と、各コンセント部に隣接して個別に設けられた接地コードを有する電源プラグの接地コードを挿入保持する接地用挿入部とを備え、コンセント部は、電源プラグの電圧側極刃の挿入及び引き抜きを許容するロック解除位置及び電源プラグの電圧側極刃の引き抜きを抑制するロック位置を有する挿入孔を備えるとともに、電源プラグの電圧側極刃は、各コンセント部の挿入孔のロック解除位置に挿入されてからロック位置まで回動されると、電圧側極刃受けばねに挟持されるとともに、ロック位置からロック解除位置まで回動されると、電圧側極刃受けばねによる挟持状態が解除されて各コンセント部から引き抜き可能となり、接地用挿入部は、接地コードの挿入を許容するとともに接地コードの先端を保持する上端が開口となるように対向配置された一対の板部と、電源プラグの電圧側極刃がロック解除位置からロック位置に回動するときに電圧側極刃の回動に連動して一対の板部による接地コードの保持を達成させる保持機構とを備え、保持機構は、絶縁ケース体に回動可能に支持され、電源プラグの電圧側極刃がロック解除位置からロック位置に回動するときに、電源プラグの電圧側極刃に係合して電圧側極刃の回動に伴って回動する回動アームと、回動アームに形成され、一対の板部のうちの一方を内側に可動させて一対の板部間に挿入されている接地コードの先端を挟持する押圧係合部とを備えている。
【発明の効果】
【０００７】
本発明の一態様によれば、接地コードを有する電源プラグを装着する際に、接地コードの先端を容易且つ確実に保持することができる接地付電源プラグ受け装置を提供することができる。
【図面の簡単な説明】
【０００８】
【図１】本発明の一態様であるテーブルタップを示す平面図である。
【図２】図１の上部ケースを取り外した状態のコンセント部の拡大平面図である。
【図３】図２のIII−III線上の断面図である。
【図４】接地コード付電源プラグを示す平面図である。
【図５】本発明の一態様である埋め込みコンセントを示す正面図である。
【発明を実施するための形態】
【０００９】
次に、図面を参照して、本発明の一実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１０】
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
本発明の一の実施の形態を接地付電源プラグ受け装置の一つであるテーブルタップについて説明する。
【００１１】
テーブルタップ１０は、図１に示すように、絶縁ケース体１１とこの絶縁ケース体１１から導出された接続コード１２と、この接続コード１２の先端に接続された接地付電源プラグ１３とを備えている。接地付電源プラグ１３は、プラグ本体１３ａの端面から突出する一対の平行な板状の電圧側極刃１３ｂ，１３ｃと、これら電圧側極刃１３ｂ，１３ｃの中間位置から一方に所定距離離れた位置から電圧側極刃１３ｂ，１３ｃと平行に突出する接地側極刃１３ｄとを備えている。
【００１２】
テーブルタップ１０に装着する電源プラグとしては、上述した接地付電源プラグ１３と同様な形状のものの他に、図４に示すパーソナルコンピュータや液晶ディスプレイ等の接地を必要とする機器１５に使用される接地コード付電源プラグ１４がある。この電源プラグ１４は接地付電源プラグ１３の接地側極刃が省略され代わりに接地コード１４ｄが突出されている。
【００１３】
接地コード１４ｄは、プラグ本体１４ａの側面又は背面から突出され絶縁被覆された絶縁コード部１４ｅと、この絶縁コード１４ｅの先端に装着された導電性の端子部１４ｆとを備えている。ここで、端子部１４ｆは、丸形やＵ形等の種々の形状に形成された圧着端子で構成することができる。さらに、接地コード１４ｄとしては、図示しないが圧着端子に代えて絶縁コード１４ｅの先端の被覆を切除して内部導体を露出させることにより導電が取れる端子部１４ｆとしているものもある。
【００１４】
一方、絶縁ケース体１１は、図３に示すように、上部ケース体１１ａと下部ケース体１１ｂとを嵌合させて図示しないねじ等の固定部材で一体に連結されている。上部ケース体１１ａには、電源プラグ１３又は１４を装着する複数例えば４個のコンセント部２１Ａ、２１Ｂ、２１Ｃ及び２１Ｄが形成されている。
各コンセント部２１Ａ〜２１Ｄのそれぞれは、上部ケース体１１ａに形成された接地付電源プラグ１３の電圧側極刃１３ｂ，１３ｃ及び接地側極刃１３ｄを挿入する３つの極刃挿入孔２２ａ，２２ｂ及び２２ｃと、接地コード付電源プラグ１４の接地コード１４ｄの先端を挿入する接地用挿入孔２２ｄとを備えている。ここで、接地用挿入孔２２ｄは、極刃挿入孔２２ａの極刃挿入孔２２ｂとは反対側に絶縁ケース体１１の長手方向と直交する方向に延長して形成されている。
【００１５】
そして、各コンセント部２１Ａ〜２１Ｄは、極刃挿入孔２２ａ〜２２ｃ及び接地用挿入孔２２ｄを囲んで電源プラグの接続範囲を表す識別表示部２３が形成されている。
また、各コンセント部２１Ａ〜２１Ｄのそれぞれは、図２に示すように、下部ケース体１１ｂの底部に配置された電源プラグ１３及び１４の電圧側極刃１３ｂ，１３ｃ及び１４ｂ，１４ｃを受ける電圧側極刃受けばね２４ａ及び２４ｂと、接地側極刃１３ｄを受ける接地側極刃受けばね２４ｃとを有する。
【００１６】
また、各コンセント部２１Ａ〜２１Ｄのそれぞれは、電圧側極刃受けばね２４ａの電圧側極刃受けばね２４ｂとは反対側に接地コード付電源プラグ１４の接地コード１４ｄの先端を挿入保持する接地用挿入部２５が形成されている。
電圧側極刃受けばね２４ａ，２４ｂ及び接地側極刃受けばね２４ｃのそれぞれは、図３に示すように、下部ケース体１１ｂの底部にねじ止め等によって固定された側面から見てＵ字状の基部２６ａと、この基部２６ａの対向板部の上端から内方に傾斜延長して互いに接触する内側傾斜延長部２６ｂ及び２６ｃと、これら傾斜延長部２６ｂ及び２６ｃの接触部から外側に傾斜する外側傾斜延長部２６ｄ及び２６ｅとを備えている。
【００１７】
そして、電圧側極刃受けばね２４ａ，２４ｂと接地側極刃受けばね２４ｃとは平面からみて各極刃１３ｂ，１３ｃ及び１３ｄの回動を許容するように接触部が円弧状に形成されている。さらに、電圧側極刃受けばね２４ａ，２４ｂ及び接地側極刃受けばね２４ｃは、上部ケース体１１ａに形成された挿入孔２２ａ，２２ｂ及び２２ｃに対して、時計方向の端部側に配置されている。
【００１８】
したがって、挿入孔２２ａ，２２ｂ及び２２ｃの反時計方向の端部側には電圧側極刃受けばね２４ａ，２４ｂ及び接地側極刃受けばね２４ｃが存在しない。このため、挿入孔２２ａ，２２ｂ及び２２ｃの反時計方向側が電源プラグ１３の電圧側極刃１３ｂ，１３ｃ及び接地側極刃１３ｄの挿入及び抜き出しを容易に行うことができるロック解除位置となる。そして、電圧側極刃１３ｂ，１３ｃ及び接地側極刃１３ｄを挿入孔２２ａ，２２ｂ及び２２ｃに挿入した状態で、時計方向に回動させることで電圧側極刃１３ｂ，１３ｃ及び接地側極刃１３ｄが電圧側極刃受けばね２４ａ，２４ｂ及び接地側極刃受けばね２４ｃで挟持されて抜け出しが抑制されるロック位置となる。
【００１９】
接地用挿入部２５は、図３に示すように、下部ケース体１１ｂに形成されたばね受け部１１ｃに支持された荷重がかかっていない状態で側面から見てＵ字状となる圧接部となる板ばね部材２５ａを有する。この板ばね部材２５ａの開放端が上部ケース体１１ａに形成された接地用挿入孔２２ｄに対向している。この板ばね部材２５ａは、図２及び図３に示すように、その電圧側極刃受けばね２４ａに対向する側の板部が保持機構を構成する回動アーム２７によって電源プラグ１３又は１４のロック位置への回動に連動して内側に傾斜されて接地コード１４ｄの先端を挟持する。
【００２０】
回動アーム２７は、下部ケース体１１ｂの例えば電圧側極刃受けばね２４ａ及び２４ｂの円弧の中心点に形成された支持軸２８に回動可能に支持されている。この回動アーム２７は、支持軸２８に回動可能に支持されて電圧側極刃受けばね２４ａの後方側を通って接地用挿入部２５に達する略Ｌ字状のアーム部２７ａを有する。このアーム部２７ａには、電源プラグ１３又は１４をロック位置に回動させる際に電圧側極刃１３ｂ又は１４ｂに係合して後方に移動される第１係合片２７ｂと、接地用挿入部２５の板ばね部材２５ａの電圧側極刃受けばね２４ａ側の板部２５ｃに接触する支持軸２８の中心を中心とする円弧状の押圧係合部となる第２係合片２７ｃとを備えている。
【００２１】
第２係合片２７ｃは、アーム部２７ａの先端に連結された第１円弧状板部２７ｄと、この第１円弧状板部２７ｄの反時計方向端部にテーパー状板部２７ｅを介して連結された第２円弧状板部２７ｆとを備えている。
第１円弧状板部２７ｄは、支持軸２８の中心を中心点とし、この中心点から板ばね部材２５ａの板部２５ｃまでの最短距離を半径とする円弧状外周面２７ｇを有する。
【００２２】
第２円弧状板部２７ｆは、支持軸２８の中心点から板ばね部材２５ａの板部２５ｃまでの最短距離より長い半径を有する外周面２７ｈを有する。テーパー状板部２７ｅは、第１円弧状板部２７ｄ及び第２円弧状板部２７ｆの外周面を接続するテーパー面２７ｉを有する。
また、回動アーム２７には、アーム部２７ａと下部ケース体１１ｂの底部に突出された位置決めピン２９との間にアーム部２７ａを回動開始位置に復帰させる復帰スプリング３０が設けられている。
【００２３】
そして、回動アーム２７は復帰スプリング３０によってアーム部２７ａが支持ピン２９に接触している状態では、第１円弧状板部２７ｄの外周面が接地用挿入部２５の板ばね部材２５ａの板部２５ｃの外周面に接触している。
この状態から電源プラグ１３又は１４を時計方向にロック位置まで回動させると、その途中で電圧側極刃１３ｂが第１係合片２７ｂに係合して、この第１係合片２７ｂを時計方向に移動させる。これにより、回動アーム２７が時計方向に回動して、接地用挿入部２５の板ばね部材２５ａの板部２５ｃの外周面にテーパー状板部２７ｅ及び第２円弧状板部２７ｆが順に接触することになり、板ばね部材２５ａの板部２５ｃが内側に傾斜されて板ばね部材２５ａの板部２５ｂ及び２５ｃ間に接地コード付電源プラグ１４の接地コード１４ｄの端子部１４ｆが挿入されている場合に、端子部１４ｆを挟持する。
【００２４】
その後、電源プラグ１３又は１４がロック位置からロック解除位置に回動されると、回動アーム２７が復帰スプリング３０によって支持ピン２９に当接する初期位置まで復帰される。これによって、板ばね部材２５ａの板部２５ｃの外周面に第２円弧状板部２７ｆ、テーパー状板部２７ｅ及び第１円弧状板部２７ｄの順に接触して、板部２５ｃが傾斜状態から垂直状態に復帰し、接地付電源プラグ１３に設けられた接地コード１４ｄの端子部１４ｆの挟持を解除する。
【００２５】
なお、各コンセント部２１Ａ〜２１Ｄの接地側極刃受けばね２４ｃと、接地用挿入部２５の板ばね部材２５ａとは互いに電気的に接続されて接続コード１２内の絶縁接地コードを介して接地付電源プラグ１３の接地側極刃１３ｄに電気的に接続されている。また、ケース体１１の接続コード１２とは反対側の端面に形成されたアースターミナル３１もコンセント部２１Ａの接地側極刃受けばね２４ｃ及び板ばね部材２５ａと電気的に接続されている。
【００２６】
同様に、各コンセント部２１Ａ〜２１Ｄの電圧側極刃受けばね２４ａ同士が互いに電気的に接続されて接続コード１２の内部導体を介して接地付電源プラグ１３の電圧側極刃１３ｂに電気的に接続されている。さらに、電圧側極刃受けばね２４ｂ同士が互いに接続されて接続コード１２の内部導体を介して接地付電源プラグ１３の電圧側極刃１３ｃに電気的に接続されている。
【００２７】
次に、上記実施形態の動作を説明する。テーブルタップ１０に接地付電源プラグ１３を装着する場合には、先ず、電圧側極刃１３ｂ及び１３ｃを極刃挿入孔２２ａ及び２２ｂのロック解除位置側に挿入すると同時に接地側極刃１３ｄを極刃挿入孔２２ｃのロック解除位置側に挿入する。
この状態から接地付電源プラグ１３を平面から見て時計方向に回動させることにより、電圧側極刃１３ｂ及び１３ｃが電圧側極刃受けばね２４ａ及び２４ｂで挟持され、接地側極刃１３ｄが接地側極刃受けばね２４ｃで挟持されるロック位置となる。
【００２８】
この接地付電源プラグ１３をテーブルタップ１０に装着する場合には、電圧側極刃１３ｂ及び１３ｃと一体に接地側極刃１３ｄが形成されているので、テーブルタップ１０の接地付電源プラグ１３を壁等に接地したコンセントに接続することにより、テーブルタップ１０に装着する接地付電源プラグ１３をロック位置に回動させるだけで接地側極刃１３ｄを接続コード１２及び接地付電源プラグ１３を介してコンセントに接地することができる。
【００２９】
一方、接地側極刃１３ｄを省略し、これに代えて接地コード１４ｄを有する接地コード付電源プラグ１４をテーブルタップ１０のコンセント部２１Ａ〜２１Ｄの何れかに装着する場合には、接地コード付電源プラグ１４の電圧側極刃１４ｂ及び１４ｃをテーブルタップ１０の所望のコンセント部２１Ａ〜２１Ｄの極刃挿入孔２２ａ及び２２ｂにロック解除位置で挿入する。その前又は後に接地コード１４ｄの端子部１４ｆを接地用挿入孔２２ｄに挿入する。
【００３０】
この初期状態では、回動アーム２７の第２係合片２７ｃにおける第１円弧状板部２７ｄの外周面が接地用挿入部２５の板ばね部材２５ａの板部２５ｃに接触しているが、板部２５ｃは垂直状態を維持する。このため、接地用挿入部２５への接地コード１４ｄの端子部１４ｆの挿入を容易に行うことができる。
この状態で、接地コード付電源プラグ１４を時計方向にロック位置まで回動させると、電圧側極刃１４ｂの時計方向への回動に伴って、その後端が回動アーム２７の第１係合片２７ｂに接触して回動アーム２７が図２で一点鎖線図示のように時計方向に回動する。これによって、第２係合片２７ｃのテーパー状板部２７ｅ及び第２円弧状板部２７ｆがその順に接地用挿入部２５の板ばね部材２５ａの板部２５ｃに外側から接触することになる。このため、板ばね部材２５ａの板部２５ｃが内側に傾斜されて、板ばね部材２５ａの板部２５ｂ及び２５ｃ間に挿入された端子部１４ｆを挟持してロック状態とする。これにより、接地コード１４ｄとコンセント側の接地極との導通が確保される。
【００３１】
このように、接地コード付電源プラグ１４をテーブルタップ１０に装着する場合に、電圧側極刃１４ｂ及び１４ｃを挿入する極刃挿入孔２２ａ及び２２ｂと接地コード１４ｄの先端を挿入する接地用挿入部２５とが識別表示部２３で囲まれているので、接地コード１４ｄを電圧側極刃１４ｂ及び１４ｃを挿入したコント部に隣接するコンセント部に挿入する挿入間違いを抑制することができる。
【００３２】
このように、本願の第１の実施形態によると、テーブルタップ１０に複数のコンセント部２１Ａ〜２１Ｄを形成した場合に、各コンセント部２１Ａ〜２１Ｄの電圧側極刃挿入孔２２ａに対して所定間隔離れた位置に接地用挿入部２５が形成される。
このため、接地コード付電源プラグ１４をテーブルタップ１０の所望のコンセント部２１ｉ（ｉ＝２１Ａ〜２１Ｄ）に装着する場合に、接地コード付電源プラグ１４の電圧側極刃１４ｂ及び１４ｃをテーブルタップ１０の極刃挿入孔２２ａ及び２２ｂのロック解除位置に挿入するとともに、その前後に接地コード１４ｄの端子部１４ｆまたは露出された内部導体を接地用挿入部２５に挿入する。
【００３３】
このとき、接地コード付電源プラグ１４がロック解除位置にあるので、回動アーム２７の第１係合片２７ｂと接地コード付電源プラグ１４の電圧側極刃１４ｂとが図２に示すように非接触状態で対向している。このため、回動アーム２７は図２で実線図示のように復帰スプリング３０によって位置決めピン２９に当接している。
この状態では、回動アーム２７は、その第２係合片２７ｃの第１円弧状板部２７ｄが接地用挿入部２５の板ばね部材２５ａの電圧側極刃受けばね２４ａ側の板部２５ｃが垂直状態を維持している。したがって、接地用挿入部２５の板ばね部材２５ａの開放端部から接地コード１４ｄの先端を容易に挿入することができる。
【００３４】
そして、接地コード付電源プラグ１４を時計方向にロック位置まで回動させると、接地コード付電源プラグ１４の電圧側極刃１４ｂ及び１４ｃが電圧側極刃受けばね２４ａ及び２４ｂの内側傾斜板部２６ｂ及び２６ｃの接触部に電圧側極刃１４ｂ及び１４ｃが分け入ることになる。そして、接地コード付電源プラグ１４がロック位置に達すると、電圧側極刃１４ｂ及び１４ｃが電圧側極刃受けばね２４ａ及び２４ｂに挟持されて接地コード付電源プラグ１４の抜け出しが抑制される。
【００３５】
このように、接地コード付電源プラグ１４がロック位置側に回動されると、接地コード付電源プラグ１４の時計方向の回動に伴って電圧側極刃１４ｂによって回動アーム２７の第１係合片２７ｂが時計方向に押され、回動アーム２７が支持軸２８を支点として時計方向に回動する。この回動アーム２７の回動によって、その第２係合片２７ｃの第１円弧状板部２７ｄからテーパー状板部２７ｅを越えて第２円弧状板部２７ｆが接地用挿入部２５の板ばね部材２５ａの板部２５ｃに接触することになる。このため、板ばね部材２５ａの板部２５ｃが内側に傾斜して接地コード１４ｄの端子部１４ｆを挟持する。したがって、接地用挿入部２５からの接地コード１４ｄの端子部１４ｆの抜け出しが抑制される。
【００３６】
また、テーブルタップ１０に装着されている接地コード付電源プラグ１４を抜き出すには、接地コード付電源プラグ１４をロック位置から反時計方向のロック解除位置に回動させる。これにより、電圧側極刃受けばね２４ａ及び２４ｂによる電圧側極刃１４ｂ及び１４ｃの挟持が解除される。
この接地コード付電源プラグ１４の反時計方向の回動により、電圧側極刃１４ｂが図２の実線図示の状態に戻り、これに伴って復帰スプリング３０の弾発力によって回動アーム２７の第１係合片２７ｂが電圧側極刃１４ｂと接触しながら反時計方向に戻り、回動アーム２７も反時計方向に回動する。
【００３７】
この回動アーム２７の反時計方向への回動によって、第２係合片２７ｃの第２円弧状板部２７ｆが接地用挿入部２５の板ばね部材２５ａの板部２５ｃにおける外周面に係合している状態からテーパー部１７ｅを経て第１円弧状板部２７ｄが板ばね部材２５ａの板部２５ｃの外周面に係合する状態に復帰する。このため、板ばね部材２５ａの板部２５ｃが垂直状態に復帰し、接地コード１４ｄの先端の挟持が解除される。これにより、接地用挿入部２５から接地コード１４ｄの端子部１４ｆを容易に外すことができる。
【００３８】
したがって、接地コード付電源プラグ１４がロック解除位置に達すると、電圧側極刃１４ｂ及び１４ｃの挟持状態及び接地コード１４ｄの端子部１４ｆの挟持状態が解除されるので、接地コード付電源プラグ１４を容易にテーブルタップ１０のコンセント部２１ｉから引き抜くことができる。
このように、上記実施形態によると、接地コード付電源プラグ１４であっても、テーブルタップ１０に容易に挿入及び抜き出しを行うことができ、接地コード１４ｄの先端の装着も接地用挿入部２５に挿入するだけで、接地コード付電源プラグ１４のロック位置への回動に伴って板ばね部材２５ａで確実に挟持される。また、接地コード付電源プラグ１４をロック位置からロック解除位置に回動させることにより、電圧側極刃１４ｂ及び１４ｃの挟持が解除されるとともに、接地コード１４ｄの先端の挟持も自動的に解除される。
【００３９】
しかも、保持機構として回動アーム２７を適用し、第１係合片２７ｂより先端側に第２係合片２７ｃを設けることにより、接地コード付電源プラグ１４のロック解除位置からロック位置への回動量が少なくても第２係合片２７ｃの回動量を多くすることが可能となる。このため、第１円弧状板部２７ｄ、テーパー状板部２７ｅおよび第２円弧状板部２７ｆの形成が容易となる。
【００４０】
さらに、回動アーム２７の回動中心を板ばね部材２５の板部２５ｃの側面と直交する線上に配置することにより、接地コード付電源プラグ１４のロック位置で第２円弧状板部２７ｆを板ばね部材２５の板部２５ｃに接触させたときに、板バネ部材２５の板部２５ｃ側面と第２円弧状板部２７ｆの接線とが一致することになり、板ばね部材２５の板部２５ｃの弾性力による第２円弧状板部２７ｆの回動を確実に防止することができる。したがって、接地コード１４ｄの先端の保持を確実に行うことができる。
【００４１】
なお、上記第１の実施形態においては、接地付電源プラグ受け装置としてテーブルタップ１０を適用した場合について説明したが、これに限定されるものではなく、図５に示すように、壁等に埋め込んで配置される例えば２口の埋め込みコンセント４０に対しても、コンセント部に４１Ａ及び４１Ｂに個別に接地挿入部４２を形成するようにしてもよい。この実施形態では、接地側極刃１３ｄを挿入する極刃挿入孔２２ｃの下側に接地用挿入部２５を形成しているので、前述した実施形態における回動アーム２７の第２係合片２７ｃを接地用挿入部４２まで延長して、その端部側に接地用挿入部２５の板ばね部材２５ａに係合するテーパー状板部２７ｅ及び第２円弧状板部２７ｆを形成するようにすればよい。
【００４２】
また、上記実施形態においては、コンセント部２１Ａ〜２１Ｄの電圧側極刃受けばね２４ａに対向する外側に接地用挿入部２５を形成した場合について説明したが、これに限定されるものではなく、電圧側極刃受けばね２４ｂ側に接地用挿入部２５を形成することもでき、さらには図５に示すように、接地側極刃挿入孔２２ｃに対向させて配置することもできる。その他、接地コード付電源プラグ１４のロック位置への移動に伴って移動する可動部材を設け、この可動部材によって接地用挿入部２５で接地コード１４ｄを保持可能とすれば極刃挿入孔２２ａ〜２２ｃの周囲の任意の位置に接地用挿入部２５を形成することができる。
【００４３】
また、上記実施形態においては、回動アーム２７のアーム部２７ａの先端に第２係合片２７ｃを一体に形成した場合について説明したが、これに限定されるものではなくアーム部２７ａの先端に長孔を形成し、この長孔に接地用挿入部２５の板ばね部材２５ａと平行に摺動する摺動アームを係合させ、この摺動アームに第１係合板部と、この第１係合板部に対して板ばね部材２６側に突出する第２係合板部と、第１係合板部及び第２係合板部を結ぶテーパー板部とを形成するようにしても上記実施形態と同様の作用効果を奏することができる。また、回動アームに代えて電源プラグ１４のロック位置への回動に伴って摺動する摺動部材を設け、この摺動部材に接地用挿入部２５の板ばね部材２５ａを傾斜させる係合部を形成するようにしてもよい。要は、接地コード付電源プラグ１４のロック位置への回動に連動して接地コード１４ｄの先端を保持可能な保持機構を構成すればよいものである。
【００４４】
さらに、上記実施形態においては、接地用挿入部２５にＵ字状の板ばね部材２５ａを配置した場合について説明したが、これに限定されるものではなく、板バネ部材２５ａを板部２５ｃのみの形状とし、板部２５ｃに対向する位置に固定壁を設けるようにしてもよい。
また、上記実施形態においては、接地側極刃を有する接地付電源プラグ１３を装着するテーブルタップ及びコンセントについて説明したが、これに限定されるものではなく、極刃挿入孔２２ｃ及び接地側極刃受けばね２４ｃを省略して接地コード付電源プラグ１４のみを装着可能なコンセント部を備えるようにしてもよい。
【符号の説明】
【００４５】
１０…テーブルタップ、１１…絶縁ケース体、１２…接続コード、１３…接地付電源プラグ、１３ａ…プラグ本体、１３ｂ，１３ｃ…電圧側極刃、１３ｄ…接地側極刃、１４…接地コード付電源プラグ、１４ａ…プラグ本体、１４ｂ，１４ｃ…電圧側極刃、１４ｄ…接地コード、２１Ａ〜２１Ｄ…コンセント部、２２ａ〜２２ｃ…極刃挿入孔、２４ａ，２４ｂ…電圧側極刃受けばね、２４ｃ…接地側極刃受けばね、２５…接地用挿入部、２５ａ…板ばね部材、２７…回動アーム、２７ａ…アーム部、２７ｂ…第１係合片、２７ｃ…第２係合片、２７ｄ…第１円弧状板部、２７ｅ…テーパー状板部、２７ｆ…第２円弧状板部、２８…支持軸、２９…位置決めピン、３０…復帰スプリング、４０…埋め込みコンセント、４１Ａ，４１Ｂ…コンセント部、４２…接地挿入部
【図１】
0006402604.tif 000002
【図２】
0006402604.tif 000003
【図３】
0006402604.tif 000004
【図４】
0006402604.tif 000005
【図５】
0006402604.tif 000006